(57)【特許請求の範囲】
【請求項１】
第１電線挿通孔を有する金属製の支持部材と；
軸心がランプの中心軸と略合致するように配置され、他端側が支持部材と接続された金属製で中実の熱伝導部材と；
一面側に配線パターンを有し、他面側の略中心部が支持されるように熱伝導部材の一端側に配置され、熱伝導部材との接触寸法よりも幅寸法が大きい透光性セラミックスを含む基板と；
少なくとも一部の光が基板を介して支持部材の方向に放射するように、基板の一面側の配線パターンに配設された発光素子と；
基板の一面側に発光素子からの光を透過または励起可能に設けられ、熱伝導部材と基板の接触寸法よりも寸法が大きい部分を有する蛍光体層と；
基板および発光素子を覆うように設けられた透光性のカバー部材と；
カバー部材の他端側に設けられた口金部材と；
回路基板および回路基板に実装された回路部品を有し、発光素子に電力を供給する点灯装置と；
一端は回路基板に接続され、他端は口金部材に接続された入力線と；
一端は回路基板に接続され、他端は支持部材の第１電線挿通孔を通過して基板の配線パターンに電気的に接続された電線と；
を具備していることを特徴とする口金付きランプ。
【請求項２】
基板の他面側には蛍光体層が形成されており、発光素子の他面側に放射される光は、他面側の蛍光体層を介して白色の光となることを特徴とする請求項１に記載の口金付きランプ。
【請求項３】
支持部材と点灯装置の間には、第２電線挿通孔を有する樹脂製のホルダが設けられており、電線は第１電線挿通孔および第２電線挿通孔を通って、基板の一面側の端部に設けられ、配線パターンと電気的に接続されることを特徴とする請求項１または請求項２に記載の口金付きランプ。
【請求項４】
ホルダは空洞、支持部材は凹部を備えており、空洞には点灯回路の少なくとも一部が収容され、凹部にはホルダの少なくとも一部が嵌合されていることを特徴とする請求項３に記載の口金付きランプ。
【請求項５】
基板と熱伝導部材の間には接着剤が介在していることを特徴とする請求項１ないし４のいずれか一記載の口金付きランプ。
【請求項６】
器具本体と；
器具本体に装着される請求項１ないし５のいずれか一記載の口金付きランプと；
を具備していることを特徴とする照明器具。
【発明の詳細な説明】
【技術分野】
【０００１】
本発明の実施形態は、発光ダイオード等の発光素子を光源とする発光装置、光源体および照明器具に関する。
【背景技術】
【０００２】
近年、発光素子、特に、発光ダイオード（以下「ＬＥＤ」と称す）を用いた発光装置は、白熱電球に代替可能な電球形のＬＥＤランプ等の光源体、さらにはダウンライト、スポットライト等の各種照明器具の光源として、また、薄型テレビ、液晶ディスプレイ、携帯電話、各種情報端末のバックライト、さらには屋内外の看板広告等の光源として、多方面への展開が進んでいる。また、その長寿命、低消費電力、耐衝撃性、高速応答性、高純度表示色、軽薄短小化等を実現できることから、一般照明用のみならず、各種産業分野での応用が進んでいる。
【先行技術文献】
【特許文献】
【０００３】
【特許文献１】特開２００９−２３１１４８号公報
【発明の概要】
【発明が解決しようとする課題】
【０００４】
これらＬＥＤを光源とする発光装置は、大光量化、高効率化が進み、これらを得るための技術として、ＬＥＤを実装する基板のより一層の光の反射特性と放熱性が求められ、また使用環境としても誘導灯、非常灯などに使用される場合には、耐熱性も必要とされる。これらに対応するためアルミニウム等のメタル基板やセラミックス基板が用いられている。
【０００５】
メタル基板の場合は、実装されるＬＥＤとの電気絶縁を図るために絶縁層を設ける必要があり、一般的にはエポキシ系の有機材が用いられている。このために、大光量化・大ワット化の際に有機材からのガス放出により、長期ライフでの光束維持率が低下する問題が生じる。
【０００６】
これを対策する手段として用いられるオール無機材料のセラミックス基板は、一般的には純度９６％のアルミナ基板が用いられる。しかし、一般的なアルミナでは、反射率が８８〜９１％と低く、また熱伝導率が２３ｗ／ｍＫで低く、反射特性と放熱性の必要な照明用ＬＥＤの基板として用いる際には課題があった。また、窒化アルミの場合には、熱伝導率は１００〜１７０ｗ／ｍＫと高いが、母材がクリーム色またはグレー色で反射率が低い。このように、一般的なセラミックス基板においては、放熱性と反射特性を如何に両立させ発光効率を向上させるかが課題となっている。
【０００７】
また、透光性セラミックス基板として、透光性アルミナを用いることも提案されているが、材質として透光性アルミナ（ＰＣＡ（多結晶））は、透光性アルミナ（サファイア（単結晶））よりは光の直線透過率が劣り、透光性アルミナ（ＰＣＡ（多結晶））や窒化アルミをＬＥＤの基板として用いるには、さらなる改善・工夫が必要である。一方、ＬＥＤ電球やＧＸ５３形口金対応ユニット等におけるＬＥＤ光源における課題は、上記発光効率の向上に加え、目的とする配光、特に広い配光角を如何にして実現するかが重要な課題となっている。
【０００８】
本発明は、上記課題に鑑みてなされたもので、高純度で熱伝導率が高い透光性セラミックスを用いて基板を構成し、発光効率を向上させ、かつ所望の配光を得ることが可能な発光装置、光源体および照明器具を提供しようとするものである。
【課題を解決するための手段】
【０００９】
本発明の実施形態における口金付きランプは、第１電線挿通孔を有する金属製の支持部材と；軸心がランプの中心軸と略合致するように配置され、他端側が支持部材と接続された金属製で中実の熱伝導部材と；一面側に配線パターンを有し、他面側の略中心部が支持されるように熱伝導部材の一端側に配置され、熱伝導部材との接触寸法よりも幅寸法が大きい透光性セラミックスを含む基板と；少なくとも一部の光が基板を介して支持部材の方向に放射するように、基板の一面側の配線パターンに配設された発光素子と；基板の一面側に発光素子からの光を透過または励起可能に設けられ、熱伝導部材と基板の接触寸法よりも寸法が大きい部分を有する蛍光体層と；基板および発光素子を覆うように設けられた透光性のカバー部材と；カバー部材の他端側に設けられた口金部材と；回路基板および回路基板に実装された回路部品を有し、発光素子に電力を供給する点灯装置と；一端は回路基板に接続され、他端は口金部材に接続された入力線と；一端は回路基板に接続され、他端は支持部材の第１電線挿通孔を通過して基板の配線パターンに電気的に接続された電線と；を具備している。
【発明の効果】
【００１０】
本発明の実施形態によれば、透光性セラミックスを用いて基板を構成し、発光効率を向上させ、かつ所望の配光を得ることが可能な口金付きランプおよび照明器具を提供することができる。
【図面の簡単な説明】
【００１１】
【図１】本発明の第１の実施形態である発光装置を示し、（ａ）は縦断面図、（ｂ）は発光素子の模式的な断面図。
【図２】同じく発光装置を示し、（ａ）は上面図、（ｂ）は下面図。
【図３】同じく発光装置を装着した光源体を示す縦断面図。
【図４】本発明の第２の実施形態である発光装置の縦断面図。
【図５】同じく発光装置を示し、（ａ）は上面図、（ｂ）は下面図。
【図６】同じく発光装置を装着した光源体を示す縦断面図。
【図７】本発明の第１、２の実施形態の光源体を装着した照明器具を概略的に示す断面図。
【図８】本発明の発光装置の第１の変形例を示し、（ａ）は上面図、（ｂ）は一部を切り欠いて示す縦断面図。
【図９】同じく変形例を示し、（ａ）は第２の変形例を、一部を切り欠いて示す縦断面図、（ｂ）は第３の変形例を、一部を切り欠いて示す縦断面図。
【図１０】同じく変形例を示し、（ａ）は第４の変形例を示す縦断面図、（ｂ）は第５の変形例を、一部を切り欠いて示す縦断面図。
【図１１】同じく変形例を示し、（ａ）は第６の変形例を、一部を切り欠いて示す縦断面図、（ｂ）は第７の変形例を示す縦断面図。
【発明を実施するための形態】
【００１２】
以下、本発明に係る発光装置、光源体および照明器具の実施形態について説明する。
【実施形態１】
【００１３】
先ず、発光装置の構成につき説明する。本実施形態の発光装置は、一般照明用の白熱電球に代替可能な口金付ランプからなる光源体の光源として用いられるもので、図１、図２に示すように、発光装置１０は、透光性セラミックスからなる基板１１と、基板の一面側に配設され、基板の少なくとも他面側に透光性セラミックスを介して光を放射する発光素子１２で構成する。
【００１４】
基板１１は、純度が９７％以上で熱伝導率が２５ｗ／ｍＫ以上の透光性セラミックス、本実施形態では、純度が９９．９９％で、熱伝導率が３３ｗ／ｍＫの透光性アルミナ（ＰＣＡ（多結晶））からなり、厚さ約０．５ｍｍの薄い平板で四隅をカットした略正方形をなすように構成した。ここで純度が９７％以上の透光性セラミックスは、アルミナ等の含有率が９７％以上の透光性セラミックスであり、含有率が正確に９７％以上に設定されたものが最適であるが、製造誤差等の範囲で９７％を下回る含有率であってもよく、要は略９７％以上の含有率を有していればよい。同様に、熱伝導率が２５ｗ／ｍＫ以上の透光性セラミックスとは、熱伝導率が正確に２５ｗ／ｍＫ以上に設定されたものが最適であるが、製造誤差等の範囲で２５ｗ／ｍＫを下回る熱伝導率であってもよく、要は略２５ｗ／ｍＫ以上の熱伝導率を有していればよい。
【００１５】
基板１１の一面側（表面側）には、内周面が略正方形をなす土手部１１ａを形成することにより、浅い略正方形の収容凹部１１ｂを形成する。土手部は、白色の合成樹脂製で基板の一面側に塗布されることにより構成される。この収容凹部１１ｂの底面、すなわち、基板１１の表面に銀、銀パラジウム、金、銅などの金属ペーストをスクリーン印刷して配線パターンを形成する。この際、基板１１はセラミックスで構成されており電気絶縁性を有しているので、配線パターンとの間にはエポキシ系の有機材からなる電気絶縁処理を施す必要がなくなり、ガスの放出がなく長期ライフでの光束維持率が低下することがない。また、コスト的に有利となる。
【００１６】
この基板１１には、ＣＯＢ技術を使用して基板の収容凹部１１ｂにおける配線パターンに対して、複数の発光素子１２、本実施形態では発光ダイオード（以下「ＬＥＤ」と称す）を略マトリックス状にボンディングして実装する。また、略マトリックス状に規則的に配置された各ＬＥＤ１２は、隣接する配線パターンとボンディングワイヤによって直列に接続される。本実施形態のＬＥＤ１２は、高輝度、高出力の青色ＬＥＤチップで構成する。その構成は、図１（ｂ）に示すように、透光性のサファイア素子基板１２ａに発光層１２ｂが積層され、発光層はｎ型窒化物半導体層とＩｎＧａＮ発光層とｐ型窒化物半導体層とが順次積層されて略直方体をなすように形成されている。
【００１７】
上記に構成された基板１１の収容凹部１１ｂには、光変換手段、本実施形態では蛍光体層１１ｃが配設される。この蛍光体層は蛍光体含有樹脂、本実施形態では、透明なシリコーン樹脂に黄色蛍光体を分散・混合した封止部材で形成され、収容凹部１１ｂに塗布または充填されて蛍光体層１１ｃが構成される。
【００１８】
蛍光体層１１ｃは、上述した青色ＬＥＤチップから放射される青色光を透過させると共に、青色光によって黄色蛍光体を励起して黄色光に変換し、透過した青色光と黄色光が混光して白色の光を放射する。なお、上記蛍光体層１１ｃが、基板１１の一面側（表面側）の上側蛍光体層を構成する。
【００１９】
なお、蛍光体層１１ｃを形成する手法としては、次のものがある。すなわち、土手部１１ａの中に蛍光体樹脂を流し込む方法、さらに他の方法として、成型機によって蛍光体層を形成する方法、ディッピングによって形成する方法がある。
【００２０】
また、図２（ａ）に示すように、配線パターンから基板１１の側縁部に、それぞれ延長して入力端子部を構成する一対の給電端子１１ｄが設けられる。この各給電端子１１ｄは、透光性アルミナの上に銀（Ａｇ）層が形成される。一方が＋側の給電端子、他方が−側の給電端子を構成する。なお、基板１１には、各給電端子１１ｄに接続されたコネクタ１１ｅが設けられる。これにより、発光素子であるＬＥＤ１２が一面側に実装されて配設された略正方形の発光面Ａを有する基板１１が構成される。なお、図中ｘ−ｘ線は光軸である。
【００２１】
そして、基板１１の他面側（裏面側）には、導光体１３および熱伝導部材１４が配設される。導光体１３は、透光体、本実施形態では透明なポリカーボネイト樹脂で、縦断面形状が略鼓形をなす円筒体となるように一体に構成され、その頂面が基板１１の他面側の略中央部に透明な透光性を有する接着剤１３ａで固着され、導光体１３の軸心が光軸ｘ−ｘに略合致するようにして支持される。導光体１３の頂面は、透光性アルミナからなる基板１１の発光面Ａから、基板を透過して他面側に放射される光を全て取り込むことができるように、略正方形をなす発光面Ａを覆うことができる直径の頂面を有する円筒体に形成する。なお、本実施形態において、透光性を有する接着剤１３ａはジェル状のシリコーン樹脂からなる接着剤を用いた。
【００２２】
上記により、図１（ｂ）に示すように、青色ＬＥＤチップにおける発光層１２ｂから、チップの他面側（裏面側）の透光性サファイア素子基板１２ａを透過して放射される光ｂ（図１（ｂ）中下方に向かう光）を、光軸ｘ−ｘに沿って他面側、すなわち、口金付ランプを構成した場合にはランプの背面側（口金側）に導き、背面発光を加えて配光角を広くした両面発光機能を１枚の基板によって果たすことが可能になる。
【００２３】
熱伝導部材１４は、熱伝導性の良好な銅やアルミニウム等の金属、本実施形態ではアルミニウムからなる中実の円柱状に形成され、円筒体からなる導光体１３の軸心に沿って挿入嵌合され、その頂面を基板１１の他面側の一部、本実施形態では、略中心部に熱伝導性を有する耐熱性の接着剤１３ａで熱的に密着させて固着し、熱伝導部材１４の軸心が光軸ｘ−ｘと略合致するようにして支持される。なお、本実施形態において、熱伝導性を有する耐熱性の接着剤１３ａはジェル状のシリコーン樹脂からなる接着剤を用いた。上記により、ＬＥＤ１２から発生する熱を円柱状の熱伝導部材１４に伝達して放熱させることが可能になる。なお、これら放熱作用に関し、上述した導光体１３は無くても問題はない。
【００２４】
図中１５は、円柱状の熱伝導部材１４の下端部が固着されることにより、発光装置１０全体を支持するための支持部材で、この支持部材１５は放熱体の作用も兼ねるために、熱伝導部材１４と同様に熱伝導性の良好な銅やアルミニウム等の金属、本実施形態ではアルミニウムからなる円筒状をなす形状に形成され、円筒の内面に円柱状の熱伝導部材１４の下端部が挿入され熱伝導性を有する耐熱性の接着剤で固定される。本実施形態において、熱伝導性を有する耐熱性の接着剤はジェル状のシリコーン樹脂からなる接着剤を用いた。
【００２５】
これにより、ＬＥＤ１２から発生する熱は、円柱状の熱伝導部材１４から円筒状の支持部材１５に伝達され、外部に効果的に放熱させることが可能になる。上記により、発光素子であるＬＥＤ１２が基板１１の一面側に配設され、基板の他面側（背面側）に透光性セラミックスを介して光を放射することが可能な発光装置１０が構成される。
【００２６】
次に、上記に構成された発光装置１０を光源として用いた光源体の構成につき説明する。本実施形態の光源体は、一般照明用の白熱電球に代替可能な口金付ランプ２０を構成するもので、図３に示すように、上述した発光装置１０と、発光装置を支持し発光装置に電源を供給する電気接続部２１と、発光装置を覆うように設けられる透光性のカバー部材２２と、発光装置を点灯する点灯装置２３で構成する。
【００２７】
電気接続部２１は、発光装置１０を支持し発光装置に電源を供給するもので、本実施形態では、図３に示すように、エジソンタイプのＥ２６形を構成する口金部材で構成した。口金部材２１は、ねじ山を備えた銅板製の筒状のシェル部２１ａと、このシェル部の下端の頂部に電気絶縁部２１ｂを介して設けられた導電性のアイレット部２１ｃを備えている。
【００２８】
そして、シェル部２１ａの開口部に発光装置１０およびカバー部材２２が支持される。すなわち、発光装置の円筒状の支持部材１５が、シェル部２１ａの開口部に嵌合され、支持部材１５の外周面とシェル部２１ａの内面との隙間に対して、熱伝導性を有するシリコーン樹脂やエポキシ樹脂等からなる接着剤を充填して固着し、発光装置１０全体が電気接続部である口金部材２１に支持される。同時に、ＬＥＤ１２から発生する熱は、円柱状の熱伝導部材１４から支持部材１５を経由してシェル部２１ａすなわち口金部材２１に伝達され、外部に効果的に放熱させることが可能になる。なお、支持部材１５は、後述する点灯装置２３を収納するための凹部１５ａが内側に形成されている。
【００２９】
発光装置１０を覆うように設けられる透光性のカバー部材２２は、ランプのグローブを構成するもので、例えば、厚さが薄いガラスや合成樹脂などの材質で構成され、透明または光拡散性を有する乳白色などの半透明、本実施形態では乳白色のポリカーボネイト（ＰＣ）樹脂で構成した。そして、本実施形態のカバー部材２２は、発光装置１０の発光部Ａを主として覆う上側カバー部２２ａと、導光体１３を主として覆う下側カバー部２２ｂの２つに分割して発光面積を増やすように構成した。上側カバー部２２ａと下側カバー部２２ｂの分割線は、発光装置１０の発光部Ａを略通過する水平方向の線、換言すれば、グローブの略最大径部付近で光軸ｘ−ｘと略直交する線ｙ−ｙを境にして２分割する。
【００３０】
上側カバー部２２ａは、下方に開放した開口部２２ａ１を有する略半球面状をなし、その球面の形状は、一般白熱電球のボール部分のシルエットに近似させた滑らかな曲面状に形成する。下側カバー部２２ｂは、上方に上側カバー部２２ａの開口部２２ａ１に合致する開口部２２ｂ１を有し、下方に径の小さい開口部２２ｂ２を有し、その外側面が、下方に向けて緩やかに湾曲させることにより、外観が一般照明用の白熱電球におけるネック部のシルエットと同様の形状になるように形成する。なお、上側カバー部２２ａと下側カバー部２２ｂは、これらの開口部２２ａ１、２２ｂ１同士の突合せ面が超音波溶接等の手段により固着されて一体化され一つのグローブとして構成される。そして、下側カバー部２２ｂの下方の径の小さい開口部２２ｂ２が口金部材２１のシェル部２１ａの開口部に嵌合されて耐熱性を有するシリコーン樹脂やエポキシ樹脂等の接着剤によって固着され支持される。
【００３１】
点灯装置２３は、図３に示すように、発光装置１０におけるＬＥＤ１２の点灯回路を構成する回路部品２３ａと、回路部品を実装した回路基板２３ｂからなる。点灯回路は、交流電圧１００Ｖを３．１Ｖ程度の直流電圧に変換してＬＥＤ１２に定電流の直流電流を供給するように構成される。回路基板２３ｂは短冊状をなすガラスエポキシ材からなり、片面または両面に小形の電子部品が実装される。
【００３２】
そして、点灯装置２３は、口金部材２１のシェル部２１ａ内に収納されて支持される。すなわち、回路基板２３ｂを縦方向にし、上方部分がＰＢＴ樹脂等の合成樹脂からなるホルダ２４の空洞内に挿入され、中間から下方部分がシェル部２１ａ内に配置されて支持される（図３）。回路基板を支持したホルダ２４は、円筒状をなす支持部材１５の凹部１５ａに嵌合されて支持され、点灯装置２３が口金部材２１内に電気絶縁を図った状態で収納される。なお、回路基板２３ｂとホルダ２４、ホルダと支持部材の凹部１５ａさらにシェル部２１ａ内面と回路基板２３ｂとの間には、シリコーン樹脂やエポキシ樹脂等の耐熱性で熱伝導性を有し、かつ電気絶縁性を有する接着剤を充填することによって固着するようにするとよい。
【００３３】
そして、回路基板２３ｂの出力端子には電線ｗ１が接続され、この電線がホルダ２４、支持部材１５の電線挿通孔（図示せず）を挿通して基板１１のコネクタ１１ｅに接続される。また、回路基板２３ｂの入力端子には口金部材２１に接続される入力線（図示せず）が接続される。なお、点灯装置２３は、上記のように、電球内に内蔵させて、一般照明用の白熱電球とそのまま代替ができるように構成することが好適であるが、コンパクト形蛍光ランプのように点灯装置はランプを装着する器具側に別置きにして設け、電球側には内蔵させないように構成してもよい。
【００３４】
上記により、一般照明用の白熱電球と同様に、頂部の前面側から側面周囲にわたって発光面積を増やすようにグローブが形成されたＰＳ形状のカバー部材２２を有し、他端側にＥ２６形の口金部材２１が設けられ、全体の外観形状が一般照明用の白熱電球全体のシルエットと同様の外観形状をなした電球形の口金付ランプ１０が構成される。
【００３５】
次に、光源体である上記構成の口金付ランプの組み立て手順について説明する。先ず、発光装置１０と点灯装置２３を予め組み立てる。円筒状の支持部材１５に対し、ホルダ２４を介して回路基板２３ｂを嵌合して支持し、回路基板２３ｂの出力端子の電線ｗ１を基板１１のコネクタ１１ｅに接続する。さらに点灯装置２３の入力線（図示せず）を引き出しておく。
【００３６】
次に、上記のように点灯装置２３を組み込んで構成された発光装置１０を、下側カバー部２２ｂの大きな径の開口部２２ｂ１から発光装置１０の支持部材１５を下側にして挿入し、さらに下方の径の小さな開口部２２ｂ２を通して突出させる。そして、引き出された入力線を、口金部材２１のシェル部２１ａおよびアイレット部２１ｃに接続する。
【００３７】
次に、下側カバー部２２ｂの下方の開口部２２ｂ２から突出した支持部材１５を、口金部材２１のシェル部２１ａの開口部に嵌合して接着剤で固着する。さらに、下側カバー部２２ｂの下方の開口部２２ｂ２を、シェル部２１ａの開口部に嵌合して接着剤により固着する。
【００３８】
次に、上側カバー部２２ａの開口部２２ａ１を下側カバー部２２ｂの径の大きな開口部２２ｂ１に被せ、開口部同士の突合せ面を超音波溶接により固着する。これにより、点灯装置２３を電球内に内蔵した口金付ランプ１０が構成される。
【００３９】
次に、上記に構成された口金付ランプ１０の作動につき説明する。図３に示すように、口金付ランプ１０に口金部材２１を介して電源を供給し点灯させると、発光装置１０における青色ＬＥＤチップの発光層１２ｂから一面側に向かって光ａが放射される。この光ａは略正方形の面状をなす発光部Ａにおける上側蛍光体層１１ｃの黄色蛍光体を介して白色の光となり、上側カバー部２２ａの内面に向かって放射されて透過し頂部の前面側を主として照射する。
【００４０】
また、青色ＬＥＤチップにおける発光層１２ｂから、チップの他面側（裏面側）の透光性サファイア素子基板１２ａを透過して放射される光ｂ（図１（ｂ）、図３中下方に向かう光）は、透光性アルミナからなる基板１１を透過し、導光体１３によって光軸ｘ−ｘ方向に沿って他面側、すなわち、口金付ランプ１０の背面側（口金部材２１側）に導かれ、円筒状の鼓形をなす導光体１３内で屈折されて拡散され、導光体１３の外周部から下側カバー部材２２ｂの内面に向かって放射されて透過し、側面周囲を主として照射する。なお、青色ＬＥＤチップから透光性アルミナ製の基板１１を透過して放射され下方に向かう光ｂは、黄色蛍光体を介さずに放射されるため青みをおびた白色の光が放射される。
【００４１】
これにより、一般照明用の白熱電球と同様に、頂部の前面側から側面周囲にわたって略全体が均等に光るように配光角θ１を広くした背面発光も行うことが可能になり、一般照明用の白熱電球と同様の所望の配光特性を有する照明を行うことができる。
【００４２】
この際、熱伝導部材１４は、電球の中心軸である光軸ｘ−ｘに設けられているので、導光体１３の外周部から下側カバー部材２２ｂの内面に向かって放射される光ｂが、熱伝導部材１４によって殆んど遮られることなく、光の取り出し効率を向上させることができる。同時に、一部が影となっても、その陰影は周囲に均等に分散されることから色むらが生じ難くなる。
【００４３】
同時に、口金付ランプ１０が点灯されると、ＬＥＤ１２の温度が上昇し熱が発生する。その熱は、熱伝導率の高い透光性アルミナ製の基板１１から、熱伝導率の良好な銅またはアルミニウム製の熱伝導部材１４に伝達され、さらに熱伝導部材の下端部が固着された銅またはアルミニウム製の支持部材１５に伝達され、さらに熱伝導性の良好な銅板からなる口金部材２１に伝達され、同様に銅板で構成された器具側のソケットを介して外部に放熱される。ソケットから器具への熱伝導率を上げるため、ソケット外器材は、熱伝導セラミックスまたは樹脂を用いる。そして、この放熱作用は、点灯中において常に継続して行われることにより、ＬＥＤ１２における発光効率の低下を抑制することが可能になる。
【００４４】
また、同時に点灯装置２３の回路基板２３ｂが口金部材２１内に熱伝導性の良好な接着剤を充填して支持されることにより、内蔵された回路基板２３ｂの熱も接着剤で拡散され、さらに銅板からなるシェル部２１ａを介して外部に放熱されることから、回路部品２３ａの温度上昇も抑制することができ、電子部品の信頼性を高めることも可能になる。上記作用によって、高純度で熱伝導率が高い透光性アルミナを用いて基板を構成することにより、発光効率を向上させ、かつ所望の配光を得ることが可能な発光装置および光源体を構成することが可能になる。
【実施形態２】
【００４５】
本実施形態の発光装置は、実施形態１の発光装置１０において、青色ＬＥＤチップから透光性アルミナ製の基板１１を透過して放射され、下方に向かう青みをおびた白色の光ｂを、上方に向かう光ａと同様に、より白色の光となるようにして色むらを改善するとともに、熱伝導部材１４として、より放熱性能の高いヒートパイプを用いることによって発光効率を一層向上させたものである。なお、本実施形態を示す図４〜図６には、実施形態１と同一部分に同一の符合を付すことにより、詳細な説明は省略する。
【００４６】
すなわち、実施形態１と同様に、純度が９９．９９％で、熱伝導率が３３ｗ／ｍＫの透光性アルミナ（ＰＣＡ（多結晶））からなる基板１１の他面側（裏面側）に対し光変換手段、本実施形態では蛍光体層１１ｃ１（以下「下側蛍光体層」と称す）を配設する。本実施形態では、シート状をなす黄色蛍光体を透明なシリコーン樹脂等からなる接着剤で基板１１の他面側に貼付して構成した。このシート状の蛍光体層は、後述する熱伝導部材であるヒートパイプを避けて貼付する。これにより、青色ＬＥＤチップから透光性アルミナ製の基板１１を透過して放射され、下方に向かう青色光ｂは、下側蛍光体層１１ｃ１の黄色蛍光体を介することにより、上方に向かう光ａと同様に白色の光となる。なお、下側蛍光体層１１ｃ１は、シート状ではなく上側蛍光体層１１ｃと同様に、土手部１１ａの収容凹部１１ｂに蛍光体含有樹脂である封止部材を充填して構成してもよい。
【００４７】
また、本実施形態における熱伝導部材１４は、円柱状のアルミニウムに替えて、細く長いヒートパイプで構成する。このヒートパイプ１４は、銅パイプからなり作動液として代替フロンが封入されている。そしてヒートパイプ１４の上端部が連結部材３０に固着され、下端部が実施形態１と同様に、放熱体を兼ねる支持部材１５に固着されている。連結部材３０は、ヒートパイプ１４と同様に銅で構成し、上端部に鍔状部を有する円筒体に形成され、ヒートパイプ１４の上端部が円筒内に挿入され、側面からネジにより固定される。なお、本実施形態において、支持部材１５は、ヒートパイプ１４と同様に銅で構成した。
【００４８】
上記に構成されたヒートパイプ１４は、連結部材３０の鍔状部の頂面を、基板１１の他面側（裏面側）の略中央部に熱伝導性を有する白色のシリコーンジェルからなるシート３１を介し、さらに固定部材３２によって基板１１の他面側に密着させて固定する。
【００４９】
固定部材３２は、アクリル等の透明な合成樹脂で構成され、一端が連結部材３０の外周面に固着され、他端が鉤状をなして先端に係合爪３２ａを一体に形成した一対の弾性を有する支持脚３２ｂからなる。そして、一対の支持脚３２ｂを基板１１の両側縁部に対向させ、支持脚の弾性を利用して係合爪３２ａを基板１１の一面側（表面側）係合させ、連結部材３０の頂面を基板１１の他面側（裏面側）にシリコーンジェルからなるシート３１を介し押付けて固定する。これにより、連結部材３０の頂面およびヒートパイプ１４の上端面が、支持脚３２ｂの弾性力によって基板１１の他面側に密着して固定される。同時にシリコーンジェルからなるシート３１は、熱伝導性を有し、かつ柔軟性を有することから熱的にも、より一層密着して固定される。同時に、柔軟性を有して固定されることから電球の落下等の衝撃に対してもシリコーンジェルからなるシート３１が衝撃力を吸収し強固な電球を構成することが可能になる。上記構成により、ＬＥＤ１２から発生する熱は、ヒートパイプ１４の上部から下部の支持部材１５に伝達され、外部に効果的に放熱させることが可能になる。
【００５０】
上記に構成された発光装置１０は、図６に示すように、実施形態１と同様に支持部材１５が口金部材２１のシェル部２１ａに固着されて支持されて、一般照明用の白熱電球に代替可能な電球形の口金付ランプ２０が構成される。
【００５１】
次に、上記に構成された口金付ランプに電源を供給し点灯させると、青色ＬＥＤチップの発光層１２ｂから一面側に向かって光ａが放射される。この光ａは略正方形の面状をなす発光部Ａにおける上側蛍光体層１１ｃの黄色蛍光体を介して白色の光となり、上側カバー部２２ａの内面に向かって放射されて透過し頂部の前面側を主として照射する。
【００５２】
また、青色ＬＥＤチップにおける発光層１２ｂから、チップの他面側の透光性サファイア素子基板１２ａを透過して放射される光ｂ（図６中下方に向かう光）は、透光性アルミナからなる基板１１を透過し、下側蛍光体層１１ｃ１の黄色蛍光体を介して、上方に向かう光ａと同様に白色の光となり、下側カバー部２２ｂの内面に向かって放射されて透過し、側面周囲を主として照射する。これにより上方に向かう光ａと下方に向かう光ｂの色むらを解消することが可能になる。なお、色むらを解消する手段としては、基板１１の他面側（裏面側）に対し、一面側（表面側）と同様に、黄色蛍光体および青色ＬＥＤチップを実装して、白色の光を他面側に放射させるようにしてもよい。
【００５３】
これにより、一般照明用の白熱電球と同様に、頂部の前面側から側面周囲にわたって略全体が白色に均等に光るように配光角を広くした背面発光も行うことが可能になり、一般照明用の白熱電球と同様の所望の配光特性を有する照明を行うことができる。なお、本実施形態においては、実施形態１における導光体１３を省略し、より小径のヒートパイプ１４を用いたことにより、基板１１の他面側の発光部をヒートパイプの上端部によって遮蔽する部分を少なくすることが可能になり、実施形態１に比較し、光の取り出し効率を向上させることができるとともに、配光角より広くすることが可能になった。
【００５４】
同時に、口金付ランプ２０が点灯されると、ＬＥＤ１２の温度が上昇し熱が発生する。その熱は、熱伝導率の高い透光性アルミナ製の基板１１から、放熱性能の高いヒートパイプ１４に伝達され、さらにヒートパイプの下端部が固着された銅製の支持部材１５に伝達され、さらに熱伝導性の良好な銅板からなる口金部材２１に伝達されることにより効果的な放熱が行われる。この放熱作用は、放熱性能の高いヒートパイプ１４を用いることによって、実施形態１よりも一層効果的な放熱が行われ、ＬＥＤ１２における発光効率の低下を、より一層抑制することが可能になる。
【００５５】
上記作用によって、高純度で熱伝導率が高い透光性セラミックスを用いて基板を構成することにより、発光効率を一層向上させ、かつ所望の広い配光を得ることが可能な発光装置および光源体を構成することが可能になる。なお、本実施形態におけるその他の構成、組み立て手順、作動、作用効果、変形例等は、実施形態１と同様である。
【実施形態３】
【００５６】
本実施形態の発光装置は、実施形態２の上側蛍光体層１１ｃと下側蛍光体層１１ｃ１を配設した発光装置１０において、純度が９９．９９％で、熱伝導率が３３ｗ／ｍＫの透光性アルミナ（サファイア（単結晶））からなる基板１１を用いて構成したものである。本実施形態によれば、実施形態２と同様に、発光効率を一層向上させ、かつ所望の広い配光を得ることが可能な発光装置および光源体を構成することが可能になる。特に、透光性アルミナ（サファイア（単結晶））は光の透過率が高いことから光の取り出し効率をさらに向上させることができる。
【００５７】
なお、本実施形態におけるその他の構成、組み立て手順、作動、作用効果、変形例等は、実施形態１、２と同様であり、本実施形態においても実施形態１、２と同様の光源体である口金付ランプ２０を構成することができる。
【実施形態４】
【００５８】
本実施形態の発光装置は、実施形態１の上側蛍光体層１１ｃのみを配設した発光装置１０において、熱伝導率が２３０ｗ／ｍＫの透光性窒化アルミからなる基板１１を用いて構成したものである。本実施形態によれば、実施形態１と同様に、発光効率を一層向上させ、かつ所望の広い配光を得ることが可能な発光装置および光源体を構成することが可能になる。特に、透光性窒化アルミは熱伝導率が高いことから、ＬＥＤで発生する熱をアルミニウムからなる熱伝導部材に効果的に伝達し、より効果的な放熱が行うことができる。
【００５９】
なお、本実施形態におけるその他の構成、組み立て手順、作動、作用効果、変形例等は、実施形態１〜３と同様であり、本実施形態においても実施形態１〜３と同様の光源体である口金付ランプ２０を構成することができる。
【実施形態５】
【００６０】
本実施形態の発光装置は、実施形態２の上側蛍光体層１１ｃと下側蛍光体層１１ｃ１を配設した発光装置１０において、熱伝導率が２３０ｗ／ｍＫの透光性窒化アルミからなる基板１１を用いて構成したものである。本実施形態によれば、実施形態２と同様に、発光効率を一層向上させ、かつ所望の広い配光を得ることが可能な発光装置および光源体を構成することが可能になる。特に、透光性窒化アルミは熱伝導率が高いことから、ＬＥＤで発生する熱をヒートパイプに効果的に伝達しヒートパイプの良好な放熱作用と相まって、より一層効果的な放熱が行うことがでる。
【００６１】
なお、本実施形態におけるその他の構成、組み立て手順、作動、作用効果、変形例等は、実施形態１〜４と同様であり、本実施形態においても実施形態１〜４と同様の光源体である口金付ランプ２０を構成することができる。
【００６２】
次に、上述した実施形態１、２、３の各発光装置１０における配光角と光の取り出し効率を確認するための実験を行った。この実験は、セラミックスの材質とその特性、導光方式に注目し、上述した各実施形態における様々なサンプルで試作を行い、放熱性、全光束、配光角を比較した。
【００６３】
基板は、規定サイズに切断したリジット基板を用い、その上に配線層を、金属ペーストをスクリーン印刷し焼成によって固着し、基板上に１個または複数個のＬＥＤチップをボンディングした。ワイヤーは２５ミクロンの金線を用い、バンク形成後に蛍光体含有樹脂を流し入れて硬化させた。
【００６４】
実験では、比較のために実施形態１の上側蛍光体層１１ｃのみを配設した構成で、基板１１として一般的な純度９６％、熱伝導率２３ｗ／ｍＫのアルミナを用いた発光装置を構成し、これを実験例１とした。点灯条件は、１チップ当たり定格電流：２０ｍＡ、定格電圧：３．１Ｖである。
【００６５】
上記条件により、［実験例１］［実施形態１］［実施形態２］［実施形態３］の各例における配光角および光の取り出し効率を比較した。その結果が表１である。なお、配光角は、明るさのＭＡＸを１００％としたとき、明るさが５０％になったときの角度である（図３、図６参照）。光の取り出し効率は、明るさが５０％になったときの照度を比較し、［実験例１］の効率を１００％とした場合における各実施形態１、２、３の値である。
【００６６】
【表１】
0005617982.tif 000002
【００６７】
表１に示すように、基板の純度が９６％を越えれば、換言すれば、純度が９７％以上であれば、配光角を２６０°〜３００°程度に広くすることが可能であることが実証された。また、熱伝導率が２３ｗ／ｍＫを越えれば、換言すれば、２５ｗ／ｍＫ以上の透光性アルミナであれば、ＬＥＤで発生する熱をアルミニウムからなる熱伝導部材またはヒートパイプに効果的に伝達し、効果的な放熱が行うことができ、発光効率の低下が抑制されて光の取り出し効率を改善できることが実証された。特に、透光性アルミナの場合には、光の透過率が高く光の取り出し効率が一層優れていることが判明した。なお、実験の結果、透光性アルミナは純度が上がった関係で、表面はより円滑となったが、チップボンディング性には悪影響は与えないなど製造上の問題点はなかった。
【００６８】
次に、上述した実施形態４、５の各発光装置１０における配光角と光の取り出し効率を確認するために表１で示す実験と同様の実験を行った。実験では、比較のために実施形態１の上側蛍光体層１１ｃのみを配設した構成で、基板１１として一般的な熱伝導率１７０ｗ／ｍＫの窒化アルミを用いた発光装置を構成し、これを実験例１とした。その結果が表２である。
【００６９】
【表２】
0005617982.tif 000003
【００７０】
表２に示すように、透光性窒化アルミであれば、配光角を２６０°〜３００°程度に広くすることが可能であることが実証された。また、実施形態４、５の発光装置は、熱伝導率が２３０ｗ／ｍＫで高く、ＬＥＤで発生する熱をアルミニウムからなる熱伝導部材またはヒートパイプに効果的に伝達し、効果的な放熱が行うことができ、発光効率の低下が抑制されて光の取り出し効率を改善できることが実証された。
【００７１】
次に、上記各実施形態で構成された光源体である電球形の口金付ランプ２０を光源とした照明器具の構成を説明する。図７に示すように、４０は店舗等の天井面Ｘに埋め込み設置され、Ｅ２６形の口金を有する一般照明用の白熱電球を光源としたダウンライト式の既存の照明器具で、下面に開口部４１ａを有する金属製の箱状をなした器具本体４１と、開口部に嵌合される金属製の反射体４２と、一般照明用の白熱電球のＥ２６形の口金をねじ込むことが可能なソケット４３で構成されている。反射体４２は、例えばステンレス等の金属板で構成し、反射体４２の上面板の中央部にソケット４３が設置される。
【００７２】
上記に構成された白熱電球用の既存の照明器具４０において、省エネや長寿命化などのために白熱電球に替えて、上述したＬＥＤを光源とする電球形の口金付ランプ２０を装着する。すなわち、電球形の口金付ランプは、口金部材２１をＥ２６形に構成してあるので、上記照明器具４０の白熱電球用のソケット４３にそのまま差し込むことができる。
【００７３】
また、口金付ランプ２０は、外観が一般白熱電球におけるネック部のシルエットと同様の形状に構成されているので、ネック部がソケット周辺の反射体４２等に当たることなくスムーズに差し込むことができ、電球形の口金付ランプ２０における既存照明器具への適合率が向上し、すべての白熱電球用の既存照明器具への装着が可能になる。これにより、既存のダウンライトを、ＬＥＤを光源とした電球形の口金付ランプ２０が設置された省エネ形のダウンライトに簡単に変えることができる。勿論、既存器具のみでなく、新規構成の照明器具も同様にして構成することができる。
【００７４】
次に、口金付ランプ２０を光源としたダウンライト４０の作動につき説明する。上記に構成されたダウンライトに電源を投入すると、ソケット４３から口金付ランプ２０に対し、口金部材２１を介して商用電源が供給され、点灯装置２３が動作して３．１Ｖの直流電圧が出力される。この直流電圧は点灯装置２３からＬＥＤ１２に印加され、定電流の直流電流が供給されて全てのＬＥＤが同時に点灯して白色の光が放射される。
【００７５】
各ＬＥＤ１２から放射された白色の光は、上述したようにカバー部材２２の全面にわたって略均等に放射され電球の側面から背面側に光が回り込み、電球の側面から背面側にかけて光量が減少することない。これは、一般照明用の白熱電球と同様の配光特性を得ることができることで、照明器具４０内に配置されたソケット４３近傍の反射体４２への光の照射量が増大し、一般照明用の白熱電球用として構成された反射体４２の光学設計通りの器具特性を得ることが可能となり、一般照明用の白熱電球と同様の配光特性をもった照明を行うことができる。
【００７６】
同時に、口金付ランプ２０が点灯されると、ＬＥＤ１２の温度が上昇し熱が発生するが、上述のよう熱伝導性の良好な透光性セラミックスからなる基板１１およびアルミニウム製の熱伝導部材やヒートパイプによって効果的に放熱され、ＬＥＤの発光効率の低下を抑制することができ、長期にわたり明るさが低下することなく、さらに電子部品の信頼性も高めることができ、長寿命の照明器具を提供することが可能となる。
【００７７】
上記の各実施形態において、発光装置１０は、以下のように構成してもよい。先ず、ＬＥＤ１２から放射される光を、基板１１の一面側（表面側）および他面側（裏面側）に放射するように構成したが、光源体や照明器具の構成、用途等により、他面側のみに光を放射させるものであってもよく、要は、基板の少なくとも他面側に透光性セラミックスを介して光を放射する発光素子を具備するものであればよい。この場合、蛍光体層は、下側蛍光体層１１ｃ１のみを配設すればよく、基板１１は、少なくとも他面側に蛍光体層を配設したものであればよい。
【００７８】
また、蛍光体層は、図８に示すように、基板１１の一面側と他面側を結ぶ側面部１１ｆの一部または全体に配設した側部蛍光体層１１ｃ２を形成するようにしてもよい。この構成によれば、基板１１内を透過する光が、例えば、黄色蛍光体層によって白色に変換され、一面側から放射される光と、他面側から放射される光の境目に暗部が形成されることが防止され、一面側から他面側にわたって均一に連続した光を放射することができ、例えば、口金付ランプのカバー部材全体をより均一に光らせることができ、一般照明用の白熱電球と同様の配光特性をもった口金付ランプを構成することが可能になる。これは、カバー部材２２を上下に分割した分割線ｙ−ｙに対して光を放射させることも可能になり、分割線を目立たなくすることもでき、ランプの商品性を向上させことも可能になる。
【００７９】
なお、側部蛍光体層１１ｃ２は、図８（ｂ）に示すように、側面部に対して盛り上がるように形成することによって、一層効果的に光を放射させることができる。蛍光体層の盛り上げ形成は、例えば、液状の蛍光体に対して基板の側面部をディッピング（浸漬）させることによって容易に形成することができる。
【００８０】
また、一面側から放射される光と、他面側から放射される光の境目に暗部が形成されることを防止するために、図９（ａ）に示すように、基板１１の側面部の周囲に光を拡散させるための拡散リング５０を配設してもよい。拡散リングは、ポリカーボネイト、シリコーン、アクリル等の透明な合成樹脂に白色のリング状をなす縞模様５０ａを形成して光を拡散させるようにしてもよい。さらに、乳白色のＰＣ樹脂で構成して光を拡散させてもよい。さらには、口金付ランプ等の光源体に用いる場合には、図９（ｂ）に示すように、カバー部材の内面または外面若しくは内外面を白色に塗装したり、サンドブラスト等によって拡散処理ｓを施すように構成してもよい。
【００８１】
また、図１０（ａ）に示すように、ヒートパイプ１４は、連結部材３０をパイプに一体に形成するようにしてもよい。これによって、ヒートパイプ１４と基板１１他面側との接触面積を大となすとともに、別体の連結部材を省略することが可能になりコスト的に有利な発光装置を提供することが可能になる。
【００８２】
また、本実施形態の発光装置を口金付ランプ等の光源体に用いる場合、基板１１の他面側（裏面側）が熱伝導体やヒートパイプによって一部が塞がれるために、裏面側、すなわち、下方に向かう光の量が不足気味となりカバー部材２２の下側が暗くなる問題が生じやすくなる。これを解消するため分割したカバー部材２２の上側カバー部２２ａにおける光拡散剤の含有量を、下側カバー部２２ｂの光拡散剤の含有量より多くすることによって、上側カバー部の光透過率が下側カバー部の光透過率より低くなるように構成してもよい。これにより、カバー部材２２の全面にわたって略均等に放射されて電球の全面が略均等に光り、一般照明用の白熱電球と同様の配光特性を得ることが可能になる。
【００８３】
また、図１０（ｂ）に示すように、熱伝導部材やヒートパイプの下端に設けた放熱体を兼ねる支持部材１５は、口金部材２１のシェル部２１ａの内面にねじ込んで固定するようにしてもよい。これにより、放熱体である支持部材１５と口金部材２１との接触面積を増大させてより効果的な放熱作用を行わせることができる。同時に機械的にも一層強固に発光装置を支持することが可能になる。さらに、口金部材２１は、熱伝導部材またはヒートパイプに一体に形成してもよい。図１１（ａ）に示すように、例えば、銅パイプからなるヒートパイプの下端にＧＸ５３形の口金部材２１を一体に形成し、電気的な接続機能を熱伝導部材やヒートパイプで兼用させるように構成してもよい。また、カバー部材２２は、光軸ｘ−ｘに直交する分割線ｙ−ｙ横方向で分割したが、光軸ｘ−ｘに沿って縦方向に分割してもよい。
【００８４】
また、口金付ランプに用いた発光装置は、光軸ｘ−ｘをランプ軸となすように水平方向に配置したが、例えば、ＨＩＤランプ等の光源体に用いる場合には、図１１（ｂ）に示すように、光軸ｘ−ｘをランプ軸ｚ−ｚと直交する方向、換言すれば、発光装置を鉛直方向に配置して左右に発光面を構成するようにしてもよい。
【００８５】
なお、上記の図８（ａ）（ｂ）、図９（ａ）（ｂ）、図１０（ａ）、図１１（ａ）（ｂ）の各変形例において、ヒートパイプと基板を固定するための固定手段を設けていないが、図４に示す固定手段３２を設け、より強固に固定するようにしてもよい。  
【００８６】
さらに、本発明の各実施形態において、発光素子は、例えば、青色を発光する窒化ガリウム（ＧａＮ）系半導体からなるＬＥＤチップで構成されることが好適であるが、半導体レーザ、有機ＥＬなどを発光源とした発光素子が許容される。発光素子は、ＣＯＢ（Ｃｈｉｐ  ｏｎ  Ｂｏａｒｄ）技術を用いて、マトリックス状や千鳥状または放射状など、規則的に一定の順序をもって一部または全体が配列されて実装されたものでも、ＳＭＤ形（Ｓｕｒｆａｃｅ  Ｍｏｕｎｔ  Ｄｅｖｉｃｅ）で構成されたものであってもよく、ＳＭＤ形の場合、発光素子は複数個で構成されていることが好ましいが、照明の用途に応じて必要な個数は選択され、例えば、４個程度の素子群を構成し、この群１個、若しくは複数の群をなすように構成してもよい。さらには、１個の発光素子で構成されたものであってもよい。さらに、白色で発光するように構成することが好ましいが、照明装置の用途に応じ、赤色、青色、緑色等でも、さらには各種の色を組み合わせて構成してもよい。
【００８７】
また、基板の形状は、点または面モジュールを構成するために板状の円形、四角形、六角形などの多角形状、さらには楕円形状等をなすものであってもよく、目的とする配光特性を得るための全ての形状が許容される。
【００８８】
照明器具は、ダウンライトに限らず、スポットライト等の住宅用など小型の照明器具、さらには、天井等から全般照明を行うオフィス等、施設・業務用などの比較的大きな照明器具、さらに、高速道路や一般道路等の道路灯、公園等屋外の照明をなす防犯灯などの大型の照明器具、さらに、これら照明器具に限らず、薄型テレビ、液晶ディスプレイ、携帯電話、各種情報端末のバックライトさらには屋内外の看板広告用の照明装置等、各種、多様な照明装置に適用することができる。また、照明器具は、発光装置を用いた光源体、例えば、電球形の口金ランプを光源とする器具に限らず、発光装置自体をそのまま光源として用いる器具であってもよい。
【００８９】
また、上述した各実施形態および変形例等における、例えば、基板、発光素子、蛍光体層、熱伝導部材、ヒートパイプ、口金部材である電気接続部、カバー部材等の構成部材を適宜選択して組み合わせることにより、新たな発光装置、光源体および照明器具を構成するようにしてもよい。
【００９０】
以上、本発明の好適な実施形態を説明したが、本発明は上述の各実施形態に限定されることなく、例えば、薄型テレビなどのバックライトを構成する等、本発明の要旨を逸脱しない範囲内において、種々の設計変更を行うことができる。
【符号の説明】
【００９１】
１０  発光装置
１１  基板
１１ｃ１  蛍光体層
１２  発光素子
１４  熱伝導部材
１５  支持部材
２１  電気接続部
２２  カバー部材
２３  点灯装置
４０  照明器具
４１  器具本体
【図１】
0005617982.tif 000004
【図２】
0005617982.tif 000005
【図３】
0005617982.tif 000006
【図４】
0005617982.tif 000007
【図５】
0005617982.tif 000008
【図６】
0005617982.tif 000009
【図７】
0005617982.tif 000010
【図８】
0005617982.tif 000011
【図９】
0005617982.tif 000012
【図１０】
0005617982.tif 000013
【図１１】
0005617982.tif 000014